(57)【要約】【課題】飯と各種惣菜とを別々の弁当箱に詰め、複数の弁当箱を段積み状態として携帯する段積み形式の弁当箱セットにおいて、箸を利用して段積み状態の弁当箱を積み崩れ不能に固定すると同時に、箸を弁当箱にセットする。【解決手段】所定間隔を保って一対の吊り枠１２，１２を立設した支持枠１１の吊り枠１２，１２間に段積みした複数の弁当箱２１，２１…を載せ置き、上段の弁当箱２１には蓋板２２を使用する。また、一対とした吊り枠１２，１２の蓋板２２の高さに対応する位置には、透孔Ｈ１，Ｈ２を設ける。そして、一方の吊り枠１２の透孔Ｈ１から他方の吊り枠１２の透孔Ｈ２に向けてテーパ付きに形成された箸３１，３１を挿通し、上段の弁当箱２１の蓋板２２を箸３１，３１のテーパ作用を利用して押さえ込む。【選択図】  図１
2004167112.tif 000002
【特許請求の範囲】
【請求項１】
テーパ付きに成形された箸と、少なくとも上段の弁当箱に使用する１個の蓋板を含み段積み可能な複数の弁当箱と、該複数の弁当箱を段積み状態で携帯するための携帯枠とを備え、
該携帯枠は、前記複数の弁当箱を段積み状態で載せ置く支持枠と、それぞれ前記箸を挿通するための透孔を備え、
前記支持枠の対向位置において該支持枠に載せ置かれた前記弁当箱を挟んで支持枠に立設される一対の吊り枠と、該一対の吊り枠の上端部間に横設される提手桟とからなり、
前記一対の吊り枠のそれぞれにおける前記透孔は、前記上段となる弁当箱の蓋板の高さ位置に対応して形成され、前記一対の吊り枠の対応する透孔間に前記箸を挿通し、挿通された前記箸のテーパ作用によって前記上段の弁当箱の蓋板を前記支持枠方向に付勢することを特徴とする、
箸で携帯枠に固定する段積み弁当箱セット。
【請求項２】
前記一対の吊り枠のそれぞれにおける前記透孔は、段積みされる前記弁当箱の段積み数に応じた高さ位置に対応して複数個形成することを特徴とする、
請求項１に記載の箸で携帯枠に固定する段積み弁当箱セット。
【請求項３】
前記一対の吊り枠は、前記支持枠に嵌め合い構造による連結部で連結され、該連結部は、前記支持枠上に載せ置かれる前記弁当箱の荷重によって嵌め合い動作が完結するとともに、逆方向に嵌め合い動作が解消される向きに形成されていることを特徴とする、
請求項１または請求項２に記載の箸で携帯枠に固定する段積み弁当箱セット。
【請求項４】
前記箸は、箸の先端部を覆う箸キャップを備え、前記一対とした吊り枠の一方側の吊り枠における前記透孔は、前記箸キャップを挿通する箸キャップ用のものとして形成されるとともに、前記一対とした吊り枠の他方側の吊り枠における前記透孔は、前記箸用のものとして形成され、前記箸は、前記箸キャップを介して前記上段の弁当箱の蓋板を付勢することを特徴とする、
請求項１ないし請求項３のいずれかに記載の箸で携帯枠に固定する段積み弁当箱セット。
【発明の詳細な説明】
【０００１】
【発明の属する技術分野】
本発明は、飯と惣菜とを別々の重箱（以下、単に「弁当箱」という）に詰めてこれを段積みにして携帯する形式の弁当箱において、弁当箱と共に携帯する箸に、段積みにした弁当箱を積み崩れしないように固定する機能を発揮させるようにした箸で固定する段積み弁当箱セットに関する。
【０００２】
【従来の技術】
単一の容器の内部を仕切り板で区画し、飯と惣菜と入れ分けるようにした弁当箱において、飯と惣菜とに十分な容量を確保しようとするときには、どうしても弁当箱の外形が大柄なものとなって、携帯に不便であるばかりでなく、携帯する際の外見も不格好とならざるをえない。そこで、飯と惣菜とを別々の弁当箱に詰め、これを上下に段積みにすることによって、全体としてコンパクトな外形と携帯上の利便性を実現するようにした段積み形式の弁当箱が普及している。
【０００３】
そして、段積み形式の弁当箱においては、積み重ねた弁当箱の携帯時における積み崩れを防止する手段が必要となる。また、弁当箱が全体としてコンパクトに積み重ねられていても、食事に使用する箸についてはサイズが変化する訳ではないので、箸を収納した箸箱をどのように携帯するかが問題となる。
【０００４】
段付き形式の弁当箱の積み崩れを防止する手段としては、従来、段積みした弁当箱の対向する側面に沿って上下方向に向けて一対の帯状の金属板を添わせた上、少なくとも最下段の弁当箱と最上段の弁当箱とを一対の金属板に係合させ、一対の金属板の抗張力によって段積みした個々の弁当箱の浮き上がりを阻止する構造のもの（例えば、実公昭１３−３８６４号公報、実公昭１５−１３０９５号公報、実公昭２８−６８８０号公報、実開昭６３−９５８２４号公報）、および段積みした弁当箱をバンドで締め上げる構造のものが主流をなしている（例えば、実開昭５５−１６９２２４号公報、実開昭６２−９９１９号公報）。
【０００５】
【発明が解決しようとする課題】
上記従来例を示す公報においては、食事に必要な箸をどのように収納するのか、また、弁当箱と別個に携帯するのであれば、どのように携帯するのかという点については触れられていないが、弁当用の箸の携帯には一般に次のような問題がある。前記のように、段積みによって弁当箱の全体外形は小型化されるのに対して、箸は、使い勝手の低下を伴うために一定限度以上に小型化することはできない。従来、弁当箱の内部を仕切り、箸用のスペースとしたものもあるが、各種食品の栄養価が改善された今日、内部に箸を収納することが可能な大サイズで段積み形式の弁当箱は、１人前用の弁当箱としては、到底採用し難い。そこで、箸の携帯は、箸箱を弁当箱に添えてハンカチのような包装布で包んで携帯したり、弁当箱の積み崩れを防止するためのバンドで弁当箱と共に締めつけて携帯するのが普通である。このため、弁当箱の包装作業やバンド締め作業が煩瑣であるとともに、携帯に際しても箸箱が突出した不格好な携帯外見となってしまう上、ときには、箸箱内で箸が遊んでカタカタと特有の不要音を発する。また、食事前においては、食事に必要な箸の携帯忘れに気づいたり、食後においては、使用した箸の置き忘れが発生するという問題がある。
【０００６】
本発明は、箸が通常有するテーパのテーパ作用、すなわち、箸が先端側に向けて移動するときに箸の側面に接している物体を側方に押しのける作用に着目し、段積み形式の弁当箱において不可欠な積み崩れを防止する機能を箸に担当させることによって、従来の弁当箱における積み崩れ防止専用の金属板やバンドおよび箸を携帯する手段としての包装布やバンドを不要とするとともに、箸の携帯忘れを確実に防止することができる、箸で携帯枠に固定する段積み弁当箱セットを提供することを目的とする。
【０００７】
【課題を解決するための手段】
この目的を達成するための手段として本発明は、次のような構成を採用する。
【０００８】
本発明に係る箸で携帯枠に固定する段積み弁当箱セットは、テーパ付きに成形された箸と、少なくとも上段の弁当箱に使用する１個の蓋板を含み段積み可能な複数の弁当箱と、この複数の弁当箱を段積み状態で携帯するための携帯枠とを備え、携帯枠は、複数の弁当箱を段積み状態で載せ置く支持枠と、それぞれ箸を挿通するための透孔を備え支持枠の対向位置において支持枠に載せ置かれた弁当箱を挟んで支持枠に立設される一対の吊り枠と、この一対の吊り枠の上端部間に横設される提手桟とからなり、一対の吊り枠のそれぞれにおける透孔は、上段となる弁当箱の蓋板の高さ位置に対応して形成され、そして、一対の吊り枠の対応する透孔間に箸を挿通し、挿通された箸のテーパ作用によって上段の弁当箱の蓋板を支持枠方向に付勢することを特徴とする。
【０００９】
この構成によれば、複数の弁当箱は、支持枠に立設された一対の吊り枠間において、段積み状態で支持枠に載せ置かれており、上段の弁当箱には蓋板が付属している。このとき、蓋板の左右の吊り枠には、蓋板の高さ位置に対応して透孔が設けられている。そこで、一方の吊り枠の透孔から他方の吊り枠の透孔に向けてテーパ付きの箸を挿通すると、移動しない蓋板に対して接触する箸の部分が相対的に太くなり、蓋板は、支持枠方向、すなわち、下側に付勢される。この結果、段積みされた弁当箱全体の積み崩れが防止されるとともに、箸自体も蓋板から受ける反力によって左右の吊り枠間に固定される。
【００１０】
本発明に係る箸で携帯枠に固定する段積み弁当箱セットの吊り枠のそれぞれにおける透孔は、段積みされる弁当箱の段積み数に応じた高さ位置に対応して複数個形成することができる。
【００１１】
この構成によれば、段積みされる弁当箱の数が変化しても、その段積み数に応じた高さ位置に形成された透孔に箸を挿通することによって、上記構成におけると同様に、挿通された箸によって段積みされた弁当箱全体を押さえ込むことができる。
【００１２】
本発明に係る箸で携帯枠に固定する段積み弁当箱セットにおける一対の吊り枠は、支持枠に嵌め合い構造による連結部で連結され、この際の連結部は、支持枠上に載せ置かれる弁当箱の荷重によって嵌め合い動作が完結するとともに、逆方向に嵌め合い動作が解消される向きに形成されていることを特徴とする。
【００１３】
この構成によれば、支持枠に立設された一対の吊り枠は、支持枠に弁当箱の荷重が加わる使用中に支持枠から脱落することがなく、しかも、嵌め合い動作が完結する方向と逆方向に動作させることによって支持枠から分離することができる。したがって、支持枠と吊り枠とを一体成形する必要がなく、射出成形用の型枠コストを抑えることができるとともに、共通の支持枠または吊り枠に対して異なるデザインや寸法の吊り枠または支持枠を容易に組み付けることができるので、商品としての多様化に適応することができる。
【００１４】
本発明に係る箸で携帯枠に固定する段積み弁当箱セットにおける箸は、その先端部を覆う箸キャップを備え、また、一対の吊り枠の一方の吊り枠における透孔は、箸キャップを挿通する箸キャップ用のものとして形成されるとともに、一対の吊り枠の他方の吊り枠における透孔は、箸用のものとして形成され、そして、箸は、箸キャップを介して上段の弁当箱の蓋板を付勢するものとすることができる。
【００１５】
この構成によれば、箸キャップを上段の弁当箱とその蓋板上に載せた状態で吊り枠の対応する透孔に挿通し上、他方の吊り枠の透孔を経由してテーパ付きの箸を箸キャップに嵌め込むように操作すると、箸キャップは、箸の側面に押されて弁当箱の蓋板を支持枠側に向けて付勢する。このとき、箸自体は、常に箸キャップの厚み相当蓋板から浮いており、蓋板とは接触しない。したがって、箸の挿通による蓋板と箸との摺接動作がなく、蓋板の擦過傷が防止される。
【００１６】
【発明の実施の形態】
以下、図面を引用しながら本発明の実施の形態を説明する。
【００１７】
本発明に係る、箸で携帯枠に固定する段積み弁当箱セットは、段積み携帯用のものとして上下に重ねることができるようにデザインされた弁当箱２１，２１…と、段積み状態とした弁当箱２１，２１…を携帯するための携帯枠１０と、箸キャップ３２を備える一人前の箸３１，３１とから構成される（図１）。
【００１８】
弁当箱２１，２１…は、最大３段重ねに段積みすることができるものであり、３個の弁当箱２１，２１…は、いずれも同一の形状と寸法に設定されている。したがって、３個の弁当箱２１，２１…は、任意の順序で段積み可能である。そして、弁当箱２１，２１…には、少なくとも一番上に積まれた弁当箱２１に使用するための蓋板２２が付属する。なお、各弁当箱２１は、一人前の内容量を確保すれば足りるものとして角型の重箱の奥行きを減じたような細長い形状に形成され、蓋板２２と共に伝統的な漆器として仕上げられている。また、３個の弁当箱２１，２１…は、各弁当箱２１の糸底部分が下の弁当箱２１内に嵌まり込む状態で重なり合い、この重なった部分が浮かない限り互いに横移動しないようになっている。これは蓋板２２についても同等である。
【００１９】
携帯枠１０は、段積み状態とした弁当箱２１，２１…を載せ置くための支持枠１１と、支持枠１１を介して最下段の弁当箱２１を吊り上げるための一対の吊り枠１２，１２と、一対の吊り枠１２，１２一体のものとして手提げ携帯するため提手桟１３とからなる（図１，図２）。
【００２０】
支持枠１１は、弁当箱２１を一回り拡張した程度の平面形状を有する角型の盆状体であり、支持枠１１の周辺部には、その上に載せ置いた弁当箱２１，２１…の横ずれを阻止するためのフランジ１１ｂが全周にわたって形成されている。したがって、支持枠１１上に置かれた弁当箱２１，２１…は、フランジ１１ｂ内に落とし込まれた状態となる。また、支持枠１１の長手方向の左右には、支持枠１１と吊り枠１２，１２の下端部と連結するための連結部１５，１５が設けられている。
【００２１】
各連結部１５は、吊り枠１２の下端部の両側面に突設された雄型掛合部１２ｂ，１２ｂと、支持枠１１側に設けられた雌型掛合部１１ａ，１１ａとの嵌め合いを利用する形式のものであり（図１，図３）、この際、各雄型掛合部１２ｂと雌型掛合部１１ａとは、支持枠１１上に載せ置かれた弁当箱２１，２１…の荷重によって嵌め合い動作が完結するとともに、逆方向には、嵌め合い動作が解消される向きに形成されている。すなわち、雄型掛合部１２ｂは、下側から雌型嵌合部１１ａに向かって進行する場合には、雌型嵌合部１１ａ内に入り込むことが可能であり、そして、雄型掛合部１２ｂにおいて上を向いている面が雌型嵌合部１１ａにおいて下を向いている面に当接した時点で嵌め合い動作が完結する（図３の実線）。また、雄型掛合部１２ｂは、上方から雌型嵌合部１１ａ内に進入することはできない。したがって、支持枠１１上の弁当箱２１，２１…の荷重は、支持枠１１と吊り枠１２とが嵌め合い動作を強める方向に作用することとなる。なお、連結された両者の嵌め合い動作は、支持枠１１を矢印Ａ方向に、または、吊り枠１２を矢印Ｂ方向に操作することによって解消される。また、雄型掛合部１２ｂには、ロック鈎部１２ｆが形成されるとともに、雌型嵌合部１１ａにはロック鈎部１１ｆが形成されており、両者の嵌め合い動作が完結した時点でロック鈎部１２ｆとロック鈎部１１ｆとが可逆的に掛合し、支持枠１１と吊り枠１２とが安易に分離することのないように考慮されている。
【００２２】
上記のようにして支持枠１１の左右に立設された各吊り枠１２には、それぞれ箸３１，３１用の透孔Ｈ１，Ｈ１と、箸キャップ３２用の透孔Ｈ２と、提手桟１３を取り付けるための抜き孔Ｈ３とが設けられている（図１，図２）。
【００２３】
箸３１，３１は、一般的に使用されている先細りのテーパ付きに成形された箸３１，３１であり、箸３１，３１には、箸３１，３１の先端部に被せて用いる箸キャップ３２が付属する。箸キャップ３２は、樹脂成形品であり、内部洗浄を可能とするため上下二つ割り状態に開閉する構造のキャップ状体である。箸キャップ３２の上蓋の表面には、３角山形の凸部３２ａ，３２ａが一体成形されている。この凸部３２ａ，３２ａは、箸キャップ３２を箸置きとして利用する際に箸３１，３１を位置決めするものである。
【００２４】
そして、左右一対の吊り枠１２，１２における抜き孔Ｈ３，Ｈ３は、吊り枠１２の，１２の上端部寄りの対応する高さ位置にあり、吊り枠２，１２の上端部は、抜き孔Ｈ３，Ｈ３に両端部を通すようにして横設した取っ手桟１３によって連結されている。なお、提手桟１３は、中間部が上方に湾出する形状にデザインされている。
【００２５】
また、一対の吊り枠１２，１２における一方の吊り枠１２には、上下間隔を保って箸３１，３１用の透孔Ｈ１，Ｈ１が形成されており、他方の吊り枠１２の対応する位置には、箸キャップ３２用の透孔Ｈ２，Ｈ２が形成されている。この際、上位置において対応する左右の透孔Ｈ１，Ｈ２は、３段積みにした弁当箱２１，２１…の蓋板２２の高さに対応しており、下位置において対応する左右の透孔Ｈ１，Ｈ２は、弁当箱２１，２１を２段積みにしたときの蓋板２２の高さに対応して設けられている。すなわち、この弁当箱２１，２１…は、２段以上に段積みして用いるように想定されている。なお、箸３１，３１用の透孔Ｈ１は、２本の箸３１，３１を左右に揃えた状態で挿通可能な形状とされ、一方、箸キャップ３２用の透孔Ｈ２は、箸キャップ３２の先端部のみが通過可能な形状、すなわち、箸キャップ３２は、先端寄りの凸部３２ａの位置で停止するように設定されている。
【００２６】
したがって、本発明の箸で携帯枠に固定する段積み弁当箱セットは、弁当箱２１，２１…を２段または３段に重ね、このときの蓋板２２の位置に設けられた透孔Ｈ２に箸キャップ３２をセットし、他方の吊り枠１２の透孔Ｈ１から箸３１，３１を箸キャップ３２に差し込む簡単な操作によって段積みされた弁当箱２１，２１…積み崩れ不能に押さえ込むとともに、箸３１，３１を衛生を保てる状態で弁当箱２１，２１…にセットすることができる。すなわち、箸キャップ３２にテーパ付きの箸３１，３１を差し込むと、箸３１，３１の先端部が他方の吊り枠１２の透孔Ｈ２に向かって進行するため、箸３１，３１に伴って蓋板２２上の箸キャップ３２の一端が下方に変位し、この結果、弁当箱２１，２１…全体が支持枠１１側に付勢されるのである（図２）。そして、この際において、箸キャップ３２の厚みが存在するために箸３１，３１自体が蓋板２２と接触しないので、長期間の反復使用においても、蓋板２２の塗装が剥離するような不都合が起こらないのである。
【００２７】
ただし、弁当箱２１，２１…を押さえ込むために箸キャップ３２を必ず使用しなければならないものではない（図４）。一対の吊り枠１２，１２における透孔Ｈ１，Ｈ２の高さ位置を適正に設定し、テーパ付きの箸３１を用いる限り、箸３１の進行による上記テーパ作用を利用して蓋板２２を押さえ込むことができる。
【００２８】
なお、本発明の箸で携帯枠に固定する段積み弁当箱セットは、携帯枠１０の支持枠１１と吊り枠１２，１２とが連結部１５，１５の部分で簡単に分離することができるので、同一の吊り枠１２，１２に対し、吊り枠１２，１２間に箸３１，３１を横断させることができるサイズであることを条件とすれば、例えば、支持枠１１を円形の弁当箱２１用のものに簡単に変更することができる（図５）。逆に、同一の支持枠１１に異なるデザインの吊り枠１２，１２を組み合わせることも容易である。
【００２９】
【発明の効果】
本発明に係る箸で携帯枠に固定する段積み弁当箱セットは、支持枠と支持枠から立設される一対の吊り枠と、一対の吊り枠間に横設される提手桟とからなる携帯枠を備え、段積み状態とした複数の弁当箱を一対の吊り枠によって左右から挟まれるようにして支持枠上に置き、左右の吊り枠の対応する位置に形成した透孔間にテーパ付きに形成された箸を挿通し、箸のテーパ作用を利用して段積みにした弁当箱を押さえ付けて結合させ、携帯枠に積み崩れ不能に固定すると同時に、弁当箱に対して箸を固くセットすることができるから、弁当箱を固定する専用部材や固定のための格別の作業を省略することができる他、弁当箱の固定に箸が利用される結果、箸の携帯忘れも確実に防止されるという効果を奏する。
【図面の簡単な説明】
【図１】本発明の実施の形態を示す斜視図。
【図２】本発明の実施の形態を示す一部を破断した正面図。
【図３】本発明の実施の形態を示す要部の拡大断面図である。
【図４】本発明の他の実施の形態を示す一部を破断した正面図。
【図５】本発明の他の実施の形態を示す平面図。
【符号の説明】
Ｈ１        箸用の透孔
Ｈ２        箸キャップ用の透孔
１０        携帯枠
１１        支持枠
１２        吊り枠
１３        提手桟
１５        連結部
２１        弁当箱
２２        蓋板
３１        箸
３２        箸キャップ
【図１】
2004167112.tif 000003
【図２】
2004167112.tif 000004
【図３】
2004167112.tif 000005
【図４】
2004167112.tif 000006
【図５】
2004167112.tif 000007